【手続補正書】
【提出日】平成15年5月16日(2003.5.16)
【手続補正１】
【補正対象書類名】明細書
【補正対象項目名】発明の名称
【補正方法】変更
【補正の内容】
【発明の名称】複合メディアファイル放送番組送出制御システム、方法、プログラム及びトリガ入力装置、トリガ入力装置用プログラム。
【手続補正２】
【補正対象書類名】明細書
【補正対象項目名】特許請求の範囲
【補正方法】変更
【補正の内容】
【特許請求の範囲】
【請求項１】
複合メディアファイルを送出するための送出時刻情報または前記複合メディアファイルの送出を開始するきっかけとなるアンタイム送出トリガの情報を時刻オブジェクトとして記憶する時刻オブジェクト記憶手段と、
前記アンタイム送出トリガを発行する操作を行うための情報を表示装置に表示する送出データ変更トリガボタン表示手段と、
前記アンタイム送出トリガを発行する操作が行われた場合に、前記アンタイム送出トリガを発行する送出データ変更トリガ入力手段と、
前記時刻オブジェクトと前記アンタイム送出トリガとを参照して、前記送出データ変更トリガボタン表示手段に前記操作を行うための情報を表示するか表示しないかの判断、または表示している操作を行うための情報表示を操作可能表示にするか操作不可能表示にするかの判断を行う送出データ変更トリガボタン表示判定手段と、
前記アンタイム送出トリガに従って複合メディアファイルを送出する複合メディアファイル送出手段と
を備えることを特徴とする複合メディアファイル放送番組送出制御システム。
【請求項２】
前記アンタイム送出トリガの発行の履歴情報を記憶する送出データ変更トリガ履歴記憶手段と、
前記送出データ変更トリガボタン表示判定手段が、当該履歴情報を参照して、前記判断を行うことを特徴とする請求項１に記載の複合メディアファイル放送番組送出制御システム。
【請求項３】
前記時刻オブジェクトに設定された送出時刻の経過履歴または前記アンタイム送出トリガの発行の履歴により、前記操作を行うための情報を表示するか表示しないかの状態、または前記表示している操作を行うための情報表示を操作可能表示にするか操作不可能表示にするかの状態を変化させる条件を時刻オブジェクト拡張情報として記憶する時刻オブジェクト拡張記憶手段と、
前記送出データ変更トリガボタン表示判定手段が、当該時刻オブジェクト拡張情報を参照して、前記判断を行うことを特徴とする請求項１または２に記載の複合メディアファイル放送番組送出制御システム。
【請求項４】
複合メディアファイル番組の時間枠を示す編成スケジュール情報と当該編成スケジュール情報により示された時間枠内に送出する複合メディアファイルの送出時刻を示す送出スケジュール情報とを参照して、前記時刻オブジェクトと当該時刻オブジェクトと前記複合メディアファイルとの関係一覧である番組情報とを生成するスケジュール制御装置を備えることを特徴とする請求項１または２に記載の複合メディアファイル放送番組送出制御システム。
【請求項５】
複合メディアファイルの送出を開始するきっかけとなるアンタイム送出トリガを発行する操作を行うための情報を表示装置に表示する送出データ変更トリガボタン表示手段と、
前記アンタイム送出トリガを発行する操作が行われた場合に、前記アンタイム送出トリガを発行する送出データ変更トリガ入力手段と、
前記複合メディアファイルを送出するための送出時刻情報または前記アンタイム送出トリガの情報を示す時刻オブジェクトと前記アンタイム送出トリガとを参照して、前記送出データ変更トリガボタン表示手段に前記操作を行うための情報を表示するか表示しないかの判断、または表示している操作を行うための情報表示を操作可能表示にするか操作不可能表示にするかの判断を行う送出データ変更トリガボタン表示判定手段とを備え、
送出装置に対して、前記アンタイム送出トリガに従って複合メディアファイルを送出させることを特徴とするトリガ入力装置。
【請求項６】
複合メディアファイルを送出するための送出時刻情報または前記複合メディアファイルの送出を開始するきっかけとなるアンタイム送出トリガの情報を時刻オブジェクトとして記憶する時刻オブジェクト記憶ステップと、
前記アンタイム送出トリガを発行する操作を行うための情報を表示装置に表示する送出データ変更トリガボタン表示ステップと、
前記アンタイム送出トリガを発行する操作が行われた場合に、前記アンタイム送出トリガを発行する送出データ変更トリガ入力ステップと、
前記時刻オブジェクトと前記アンタイム送出トリガとを参照して、前記送出データ変更トリガボタン表示手段に前記操作を行うための情報を表示するか表示しないかの判断、または表示している操作を行うための情報表示を操作可能表示にするか操作不可能表示にするかの判断を行う送出データ変更トリガボタン表示判定ステップと、
前記アンタイム送出トリガに従って複合メディアファイルを送出する複合メディアファイル送出ステップと
を備えることを特徴とする複合メディアファイル放送番組送出制御方法。
【請求項７】
前記時刻オブジェクトに設定された送出時刻の経過履歴または前記アンタイム送出トリガの発行の履歴により、前記操作を行うための情報を表示するか表示しないかの状態、または前記表示している操作を行うための情報表示を操作可能表示にするか操作不可能表示にするかの状態を変化させる条件を時刻オブジェクト拡張情報として記憶する時刻オブジェクト拡張記憶ステップと、
前記送出データ変更トリガボタン表示判定ステップにおいて、当該時刻オブジェクト拡張情報を参照して、前記判断を行うことを特徴とする請求項６に記載の複合メディアファイル放送番組送出制御方法。
【請求項８】
複合メディアファイルを送出するための送出時刻情報または前記複合メディアファイルの送出を開始するきっかけとなるアンタイム送出トリガの情報を時刻オブジェクトとして記憶する時刻オブジェクト記憶処理と、
前記アンタイム送出トリガを発行する操作を行うための情報を表示装置に表示する送出データ変更トリガボタン表示処理と、
前記アンタイム送出トリガを発行する操作が行われた場合に、前記アンタイム送出トリガを発行する送出データ変更トリガ入力処理と、
前記時刻オブジェクトと前記アンタイム送出トリガとを参照して、前記送出データ変更トリガボタン表示手段に前記操作を行うための情報を表示するか表示しないかの判断、または表示している操作を行うための情報表示を操作可能表示にするか操作不可能表示にするかの判断を行う送出データ変更トリガボタン表示判定処理と、
前記アンタイム送出トリガに従って複合メディアファイルを送出する複合メディアファイル送出処理と
をコンピュータに実行させることを特徴とする複合メディアファイル放送番組送出制御プログラム。
【請求項９】
前記時刻オブジェクトに設定された送出時刻の経過履歴または前記アンタイム送出トリガの発行の履歴により、前記操作を行うための情報を表示するか表示しないかの状態、または前記表示している操作を行うための情報表示を操作可能表示にするか操作不可能表示にするかの状態を変化させる条件を時刻オブジェクト拡張情報として記憶する時刻オブジェクト拡張記憶処理と、
前記送出データ変更トリガボタン表示判定処理が、当該時刻オブジェクト拡張情報を参照して、前記判断を行う処理と
をコンピュータに実行させることを特徴とする請求項８に記載の複合メディアファイル放送番組送出制御プログラム。
【請求項１０】
複合メディアファイルの送出を開始するきっかけとなるアンタイム送出トリガを発行する操作を行うための情報を表示装置に表示する送出データ変更トリガボタン表示処理と、
前記アンタイム送出トリガを発行する操作が行われた場合に、前記アンタイム送出トリガを発行する送出データ変更トリガ入力処理と、
前記複合メディアファイルを送出するための送出時刻情報または前記アンタイム送出トリガの情報を示す時刻オブジェクトと前記アンタイム送出トリガとを参照して、前記送出データ変更トリガボタン表示手段に前記操作を行うための情報を表示するか表示しないかの判断、または表示している操作を行うための情報表示を操作可能表示にするか操作不可能表示にするかの判断を行う送出データ変更トリガボタン表示判定処理と、
送出装置に対して、前記アンタイム送出トリガに従って複合メディアファイルを送出させる処理と
をコンピュータに実行させることを特徴とするトリガ入力装置用プログラム。
【手続補正３】
【補正対象書類名】明細書
【補正対象項目名】００１４
【補正方法】変更
【補正の内容】
【００１４】
例えば、クイズ番組で、１問目のクイズとして複合メディアファイルＡ、２問目のクイズとして複合メディアファイルＢ、および複合メディアファイルＣが用意されているとする。生放送のクイズ番組であって、各クイズの開始時刻は未定である。また、２問目のクイズは１問目のクイズの正答率に応じて、複合メディアファイルＢにするか複合メディアファイルＣにするかを放送局の人間が決定するものとする。この場合、各複合メディアファイルの送出には次のような依存関係が存在する。
（１）複合メディアファイルＡは番組開始以降に送出できる。
（２）複合メディアファイルＡを送出してからしか、複合メディアファイルＢまたは複合メディアファイルＣは送出できない
（３）複合メディアファイルＢを送出したら、複合メディアファイルＣは送出できない
（４）複合メディアファイルＣを送出したら、複合メディアファイルＢは送出できない
あるいは、野球中継番組で、巨人の選手がホームランを打った場合に送出する複合メディアファイルＡ、中日の先週がホームランを打った場合に送出する複合メディアファイルＢ、双方のチームがホームランを打った場合に限り、番組の最後の方で、視聴者プレゼント用の複合メディアファイルＣを送出するものとする。この場合、各複合メディアファイルの送出には次のような依存関係が存在する
（１）複合メディアファイルＡは番組開始以降に送出できる
（２）複合メディアファイルＢは番組開始以降に送出できる
（３）複合メディアファイルＣは、２０時５４分以前に、複合メディアファイルＡおよび複合メディアファイルＢを送出している場合に限り、２０時５４分に送出できる
いずれの場合も、アンタイムで送出する複合メディアファイルＡ、Ｂ、Ｃを用意し、放送局の人間が細心の注意をしてアンタイム送出トリガを発行すれば、正しい複合メディアファイルの送出が可能である。しかし、不注意により、間違ったアンタイム送出トリガを発行してしまうと、間違った複合メディアファイルが送出されてしまう。